(57)【要約】      （修正有）【課題】本発明は、自動揺動式宝飾装置及びその象嵌方法を提供する。【解決手段】本体３００の内側の両サイドには、接続軸２０１を収容するための接続溝３０２が設けられ、前記接続溝３０２内の前記接続軸２０１に対向する位置には、前記副部品２００の左右揺動の範囲を制限するための遮断側壁が設けられ、そのため、前記接続軸２０１と前記接続溝３０２との間の不必要な左右揺動が効果的に回避される。それにより、接続軸２０１と接続溝３０２との間の揺動がもたらす摩耗が回避され、長期使用において、接続軸２０１は、接続溝３０２内に係止されて揺動能力を失うことなく、揺動効果が長期的に保持され、さらに、長期的な光と影の効果が確保され、振り子宝飾装置の使用寿命が延長される。本発明は、前記接続溝３０２を閉塞するための蓋板１００をさらに有するため、ダイヤモンドは、前記蓋板１００により視覚的により大きく且つより輝くように見える。【選択図】図１
2018196715.tif 000002
【特許請求の範囲】
【請求項１】
内部に副部品が設けられた本体を備え、前記副部品の揺動する空間が設けられ、前記副部品の両側には、接続軸が延在するように設けられ、
前記本体の内側の両サイドに設けられ、前記副部品と接続するために前記接続軸を収容するための接続溝と、
前記接続溝内の前記接続軸に対向する位置に設けられ、前記副部品の左右揺動の範囲を制限するための遮断側壁と、
前記接続溝を閉塞するための蓋板とをさらに備えていることを特徴とする自動揺動式宝飾装置。
【請求項２】
前記接続軸は、
前記副部品の揺動が容易になるように、前記接続溝に適合する第１刃エッジを有することを特徴とする請求項１に記載の自動揺動式宝飾装置。
【請求項３】
前記接続軸の端部は尖端であり、前記尖端から前記遮断側壁までの間には、比較的小さい隙間が保持されていることを特徴とする請求項１又は２に記載の自動揺動式宝飾装置。
【請求項４】
前記接続溝は、Ｃ字型であり、その開口箇所には、接続軸の脱落を防止するための遮断部が設けられていることを特徴とする請求項１〜３のいずれか１項に記載の自動揺動式宝飾装置。
【請求項５】
前記蓋板には、内外同心円に複数のファセットが設けられていることを特徴とする請求項１〜４のいずれか１項に記載の自動揺動式宝飾装置。
【請求項６】
前記ファセットは、単ファセット又は多ファセットであることを特徴とする請求項５に記載の自動揺動式宝飾装置。
【請求項７】
前記本体の後側には、光透過用の貫通孔がさらに設けられていることを特徴とする請求項１〜６のいずれか１項に記載の自動揺動式宝飾装置。
【請求項８】
前記本体は、ペンダント接続リンクをさらに含むことを特徴とする請求項１〜７のいずれか１項に記載の自動揺動式宝飾装置。
【請求項９】
前記副部品における前記接続軸のそれぞれを、前記本体の対応する前記接続溝内に配置するステップＳ１００と、
前記接続溝を閉塞するように、前記蓋板を前記本体に配置するステップＳ２００と、
前記蓋板と前記本体とを固定接続させるステップＳ３００とを含むことを特徴とする請求項１〜８のいずれか１項に記載の自動揺動式宝飾装置の象嵌方法。
【請求項１０】
前記ステップＳ３００における前記蓋板と前記本体とを、レーザー溶接の方式で固定接続することを特徴とする請求項９に記載の自動揺動式宝飾装置の象嵌方法。
【発明の詳細な説明】
【技術分野】
【０００１】
本発明は、宝飾品装置及びその象嵌方法に関し、特に自動揺動式宝飾装置及びその象嵌方法に関する。
【背景技術】
【０００２】
人々の宝飾品に対する要求が高まるにつれ、単体型設計である通常の宝飾品は、構造が単一であり、外形が固定され、光沢効果が限られているため、もはや人々のニーズを満たすことができない。従来技術において、宝飾装置の光沢効果を改善するために、振り子の宝飾を採用して副部品の揺動周波数を向上させている。
【０００３】
しかしながら、振り子宝飾装置にも欠陥がある。接続軸と軸穴の内壁とが接触し、長期的な揺動によって接続軸及び軸穴の摩耗が深刻であるため、摩耗した接続軸は、振り子宝飾品の揺動効果に影響を与え、さらに、  振り子宝飾装置の光沢効果にも影響をもたらす。接続軸が摩耗した状態において、軸穴の内壁に隙間が形成されることにより、接続軸は隙間内に係止され、このため、振り子宝飾装置の振り子動作が停止し、振り子宝飾品の使用寿命及び長期使用の効果が影響を受ける。また、傾斜角度が大きすぎる場合や振動する場合において、中の揺動副部品は、接続軸が軸穴内に係止されることによって揺動能力を失う虞がある。従って、従来技術は、改良且つ改善される余地がある。
【発明の概要】
【発明が解決しようとする課題】
【０００４】
上記の従来技術の欠点に鑑み、本発明の目的は、従来技術における振り子宝飾装置の接続軸と軸穴との相互摩耗によって、振り子宝飾装置の使用寿命が短縮され、長期使用上の揺動効果が影響される問題を解決し、揺れ幅が大きすぎる場合の係止現象を防止するための自動揺動式宝飾装置及びその象嵌方法を提供することにある。
【課題を解決するための手段】
【０００５】
本発明は、上記の目的を実現するために、以下の技術的解決手段を提供する。
自動揺動式宝飾装置は、内部に副部品が設けられた本体を備えている。前記本体内には、前記副部品の揺動する空間が設けられ、前記副部品の両側には、接続軸が延在するように設けられている。前記自動揺動式宝飾装置は、
前記本体の内側の両サイドに設けられ、前記副部品と接続するために前記接続軸を収容するための接続溝と、
前記接続溝内の前記接続軸に対向する位置に設けられ、前記副部品の左右揺動の範囲を制限するための遮断側壁と、
前記接続溝を閉塞するための蓋板とをさらに備えている。
【０００６】
前記自動揺動式宝飾装置における前記接続軸は、
前記副部品の揺動が容易になるように、前記接続溝に適合するための第１刃エッジを有する。
【０００７】
前記自動揺動式宝飾装置における前記接続軸の端部は、尖端である。前記尖端から前記遮断側壁までの間には、比較的小さい隙間が保持されている。
【０００８】
前記自動揺動式宝飾装置における前記接続溝は、Ｃ字型であり、その開口箇所には、接続軸の脱落を防止するための遮断部が設けられている。
【０００９】
前記自動揺動式宝飾装置における前記蓋板には、内外同心円の複数のファセット（ｆａｃｅｔ）が設けられている。
【００１０】
前記自動揺動式宝飾装置における前記ファセットは、単ファセット又は多ファセットである。
【００１１】
前記自動揺動式宝飾装置における前記本体の後側には、光透過用の貫通孔がさらに設けられている。
【００１２】
前記自動揺動式宝飾装置における前記本体は、ペンダント接続リンクをさらに含む。
【００１３】
上記のいずれの記載における自動揺動式宝飾装置の象嵌方法は、以下のステップを含む。
Ｓ１００：前記副部品における前記接続軸のそれぞれを、前記本体の対応する前記接続溝内に配置する。
【００１４】
Ｓ２００：前記接続溝を閉塞するように、前記蓋板を前記本体に配置する。
Ｓ３００：前記蓋板と前記本体とを固定接続させる。
【００１５】
前記自動揺動式宝飾装置の象嵌方法における前記ステップＳ３００において、前記蓋板と前記本体とは、レーザー溶接の方式で固定接続される。
【発明の効果】
【００１６】
従来技術と比較すれば、本発明に係る自動揺動式宝飾装置及びその象嵌方法において、自動揺動式宝飾装置の前記本体の両側に接続溝が設けられ、前記連結溝内の前記接続軸に対向する位置に、前記副部品の左右揺動の範囲を制限するための遮断側壁が設けられているため、前記接続軸と前記接続溝との間の不必要な左右揺動が効果的に回避される。これにより、前記接続軸と前記接続溝との間の揺動がもたらす摩耗が回避され、長期使用において、接続軸は、接続溝内に係止されて揺動能力を失うことなく、揺動効果が長期的に保持され、さらに、長期的な光と影の効果が確保される。さらに、振り子宝飾装置の使用寿命が延長される。前記自動揺動式宝飾装置が前記接続溝を閉塞するための蓋板をさらに有するため、ダイヤモンドは、前記蓋板により視覚的により大きく且つより輝くように見える。
【図面の簡単な説明】
【００１７】
【図１】本発明に係る自動揺動式宝飾装置の好ましい実施形態の分解図である。
【図２】本発明に係る自動揺動式宝飾装置の好ましい実施形態の正面分解図である。
【図３】本発明に係る自動揺動式宝飾装置の好ましい実施形態の側面分解図である。
【図４】本発明に係る自動揺動式宝飾装置の好ましい実施形態における本体の斜視図である。
【図５】本発明に係る自動揺動式宝飾装置の好ましい実施形態の接続溝の部分拡大図である。
【図６】本発明に係る自動揺動式宝飾装置の好ましい実施形態の組立概略図である。
【図７】本発明に係る自動揺動式宝飾装置の好ましい実施形態の組立分解図である。
【図８】本発明に係る自動揺動式宝飾装置の好ましい実施形態の組立後の斜視図である。
【図９】本発明に係る自動揺動式宝飾装置のもう１つの好ましい実施形態の正面図である。
【図１０】本発明に係る自動揺動式宝飾装置のもう１つの好ましい実施形態の正面図である。
【図１１】本発明に係る自動揺動式宝飾装置の背面図である。
【図１２】本発明に係る自動揺動式宝飾装置の象嵌方法のフロー概略図である。
【発明を実施するための形態】
【００１８】
以下、本発明の好ましい実施形態について詳細に説明する。
【００１９】
本発明の目的、技術的解決手段及び効果がより明確であるように、以下、図面を参照しつつ実施形態を挙げて本発明についてさらに詳細に説明する。説明する具体的な実施形態が本発明を解釈するためだけであり、本発明を限定するものではないことは、理解されたい。前記自動揺動式宝飾装置は、一般的にダイヤモンド象嵌の宝飾品に使用されているが、ダイヤモンド象嵌に限定されず、例えば、サファイヤ及びルビー等その他の宝石類の宝飾装置にも使用されてよい。本発明に係る宝飾装置の好ましい実施形態は、主に図１〜図３に示されているペンダントであるが、これに限定されず、指輪やイヤリング等の宝飾装置に使用されてもよい。
【００２０】
図１〜図３は、本発明に係る自動揺動式宝飾装置の好ましい実施形態の異なる角度からの分解概略図である。自動揺動式宝飾装置は、本体３００、副部品２００及び本体３００内の副部品２００が揺動するための空間４００を備えている。空間４００は、本体３００内に設けられた凹部又は貫通孔であってよく、副部品２００の配置及び自在な揺動に十分なスペースを有する。
【００２１】
副部品２００の両側には、２つの接続軸２０１が設けられている。図１〜図３に示すように、接続軸２０１は、副部品２００の揺動すべき程度に対する要求に応じて組み立てられ、且つ所定の角度を有するように設計されてよく、副部品２００の重心と接続軸２０１との間の位置関係が含まれる。接続軸２０１には、副部品２００の振動効果を実現するための第１刃エッジ２０２が設けられている。第１刃エッジ２０２と本体の対応する接続溝３０２とが適合していることにより、副部品２００の持続的な振動効果が保持される。本発明によれば、接続軸２０１の副部品２００での接続線が副部品２００の重心から偏倚し、第１刃エッジが副部品２００の重心に近づくように偏倚しているため、副部品２００の自動揺動が実現される。
【００２２】
本体３００の両サイドの内側には、接続溝３０２がさらに設けられている。図１、図４及び図５に示すように、接続溝３０２は、本体３００に直接形成された孔であってよく、好ましい実地形態として、Ｃ字型である。図４〜図６を同時に参照されたい。２つの接続軸２０１は、接続溝３０２のＣ字型の凹部内に同時に配置され、接続軸２０１における第１刃エッジ２０２が接続溝３０２の内壁と接触してよく、これにより、副部品２００は、本体３００と接続され得る。接続軸２０１が接続溝３０２内に配置され、第１刃エッジ２０２が接続溝３０２の内壁と接触していることにより、副部品２００と本体３００との間の抵抗力がとても小さく、副部品２００の本体３００上での長時間振動が実現され、副部品２００上のダイヤモンドの光沢効果が向上し、副部品２００の振動により視覚的なショー効果も向上する。第１刃エッジ２０２の常時接触状態が確保されれば、副部品２００の振動効果の保持も確保される。
【００２３】
接続溝３０２がＣ字型に設定されるメリットは、接続軸及び副部品の組立が便利なことである。接続溝３０２の一側は、遮断側壁３０３を有する。図４に示すように、遮断側壁３０３は、接続軸２０１の接続溝３０２内での左右揺動の範囲を制限するために用いられる。従って、本体の両側における遮断側壁３０３の間の距離は、ちょうど２つの接続軸２０１の端部の間の距離であるか２つの接続軸２０１の端部の間の距離よりやや大きいであるように設けられている。接続軸２０１の端部と遮断側壁３０３との間の隙間が小さいにも関わらず、接続軸２０１の前後の揺動が影響を受けないことが確保される。従って、接続軸２０１と接続溝３０２との間の左右の揺動が減少するため、両者の間の摩耗が軽減され、さらに、副部品及びその接続軸は、左右の過剰な動きによって係止されて揺動機能を失うことが回避される。これにより、振り子宝飾装置の使用寿命が延長されるだけでなく、使用中の揺動効果が確保され、両者の摩耗で接続軸が接続溝の隙間に係止することによって振り子宝飾装置が揺動できなくなることが回避される。或いは、接続軸が第１刃エッジ２０２の接触点の位置において過度に摩耗することにより、第１刃エッジ２０２と接続溝３０２とがもはや点接触ではなくなり、本来の揺動効果を維持することができないという技術的課題が解決される。
【００２４】
好ましくは、接続軸２０１の端部は、尖っているように設けられてもよく、これにより、遮断側壁３０３の壁面との接触面積がさらに縮小され、摩擦力が低減され、副部品２００の揺動性が向上する。Ｃ字型の接続溝３０２の開口箇所には、接続軸３０１を接続溝３０２内に封止するための１つのファセット３０６がさらに設けられ、これにより、蓋板１００との係合が容易になる。ファセット３０６は、切削加工によって形成されてもよく、プレス加工によって形成されてもよい。これにより、副部品２００の取付工程が便利になる。接続軸２０１を接続溝３０２内に容易に配置した後に、蓋板１００を閉めることにより接続溝３０２が閉塞され、従って、取付作業がより容易になる。図５に示すように、接続溝３０２の開口箇所が比較的小さい開口位置であるように設けられてもよく、これにより、取付の過程において接続軸２０１の脱落を防止するための遮断部３０５が形成される。
【００２５】
本体３００は、ネックレス又はブレスレット等他の部品を接続するためのペンダント接続リンク３０１をさらに含む。図４及び図１１に示すように、本体３００の底部には、光透過に用いられ得る貫通孔３０４が設けられ、これにより、宝飾の光沢効果が向上する。ダイヤモンドがより輝くように見えるために、本体３００は、中空構造であるように設けられてもよく、デザイン上の美感を与えつつ、光透過にも用いられ、これにより、ダイヤモンドの光沢効果がより良好である。光が貫通孔３０４及び中空構造を介して本体３００の内部空間に入ることにより、ダイヤモンドがより輝くようになる。
【００２６】
自動揺動式宝飾装置は、接続溝３０２の開口を閉塞するための蓋板１００をさらに備えている。図７に示すように、蓋板１００が本体３００の上に被覆され、蓋板１００と本体３００とがレーザー溶接によって接続されてよい。蓋板１００には、より多くのファセットが設けられてよい。ファセットは、単ファセット又は多ファセットであってよい。図８に示すように、蓋板１００は、外同心ファセット１０１及び内同心ファセット１０２の２つの同心ファセットを有する。図９における蓋板の外同心ファセット１０１には、複数の細長ファセット１１１が設けられてもよい。図１０に示すように、蓋板１００の外同心ファセット１０１、内同心ファセット１０２のそれぞれには、複数の細長ファセット１１１が設けられてもよい。このように、光を反射するために、蓋板１００の表面に互いに方向の異なるファセットが設けられることにより、接続溝３０２が閉塞され、接続軸２０１の接続溝３０２からの脱落が回避される一方、蓋板にファセットが設けられているため、フラッシュ効果が向上し、ダイヤモンドがより大きく、より輝くように見える。
【００２７】
本発明は、自動揺動式宝飾装置の象嵌方法をさらに提供する。図１２に示した実施形態のフロー図のように、当該象嵌方法は、以下のステップを含む。
Ｓ１００：図６を参照されたい。副部品における接続軸のそれぞれを、本体の両側の対応する接続溝内に配置する。第１刃エッジ２０２を接続溝３０２内に接触させる。
Ｓ２００：図７を参照されたい。接続溝３０２の開口を閉塞するために、蓋板を本体に配置する。
Ｓ３００：蓋板と本体とを固定接続させる。蓋板と本体とは、レーザー溶接の方式で固定接続されてよい。
【００２８】
当該象嵌方法によれば、操作が非常に便利且つ簡単であり、自動揺動式宝飾装置の加工をより容易に実現することができる。具体的な技術的解決手段及び技術的効果については、自動揺動式宝飾装置についての記載に詳細に説明したため、ここでは省略する。
【００２９】
本発明によれば、本体の両側に接続溝及び遮断側壁が設けられ、遮断側壁の配置により接続軸の左右揺動の範囲が制限され、接続軸と接続溝との間の不必要な揺動を効果的に回避することができる。これにより、不必要な摩耗が回避され、長期使用しても揺動効果に影響せず、また、自動揺動式宝飾装置の使用寿命が延長され、副部品の過度な揺動による係止問題も防止される。本発明に採用されている蓋板は、接続溝を閉塞することで接続軸の接続溝からの脱落を防止するほか、フラッシュ効果をも有するため、ダイヤモンドがより大きく、より輝くように見える。
【００３０】
当業者は、本発明の技術的解決手段及び概念に基づいて置換又は改良することができる。これらの改良又は置換のすべてが本発明に係る特許請求の範囲に属すことは理解されたい。
【図１】
2018196715.tif 000003
【図２】
2018196715.tif 000004
【図３】
2018196715.tif 000005
【図４】
2018196715.tif 000006
【図５】
2018196715.tif 000007
【図６】
2018196715.tif 000008
【図７】
2018196715.tif 000009
【図８】
2018196715.tif 000010
【図９】
2018196715.tif 000011
【図１０】
2018196715.tif 000012
【図１１】
2018196715.tif 000013
【図１２】
2018196715.tif 000014